(57)【要約】【課題】マザーボードの部品実装面積を削減する。【解決手段】折り畳み時に対向し、部品１０４、１０５、１０６、１０７を実装するマザーボード１０１、１０２を内部に有する折り畳み式携帯型移動無線電話装置において、対向するマザーボード１０１、１０２を接続し、部品１０８を実装するフレキシブル基板１０３と、折り畳みを行うと同時に、フレキシブル基板を通過させ、フレキシブル基板に実装される部品を内部空間に挿入して固定するヒンジ部２０３とを備えることを特徴とする。【選択図】  図１
2004208164.tif 000002
【特許請求の範囲】
【請求項１】
折り畳み時に対向し、部品を実装するマザーボードを内部に有する折り畳み式携帯型移動無線電話装置において、
対向する前記マザーボードを接続し、部品を実装するフレキシブル基板と、
折り畳みを行うと同時に、前記フレキシブル基板を通過させ、前記フレキシブル基板に実装される部品を内部空間に挿入して固定するヒンジ部とを備えることを特徴とする折り畳み式携帯型移動無線電話装置。
【請求項２】
前記フレキシブル基板に実装される部品がバイブレータであることを特徴とする、請求項１に記載の折り畳み式携帯型移動無線電話装置。
【請求項３】
前記フレキシブル基板に実装される部品が縦置き式コイン型２次電池であることを特徴とする、請求項１に記載の折り畳み式携帯型移動無線電話装置。
【請求項４】
前記フレキシブル基板に実装される部品がバイブレータ及び縦置き式コイン型２次電池であることを特徴とする、請求項１に記載の折り畳み式携帯型移動無線電話装置。
【請求項５】
折り畳み時に対向し、部品を実装するマザーボードを内部に有する折り畳み式携帯型移動無線電話装置において、
対向する前記マザーボードの一方にリード線を介して接続される部品と、
折り畳みを行うと同時に、リード線を介して接続される前記部品を内部空間に挿入して固定するヒンジ部とを備えることを特徴とする折り畳み式携帯型移動無線電話装置。
【請求項６】
前記リード線を介して接続される部品がバイブレータであることを特徴とする、請求項５に記載の折り畳み式携帯型移動無線電話装置。
【請求項７】
前記リード線を介して接続される部品が縦置き式コイン型２次電池であることを特徴とする、請求項５に記載の折り畳み式携帯型移動無線電話装置。
【請求項８】
前記リード線を介して接続される部品がバイブレータ及び縦置き式コイン型２次電池であることを特徴とする、請求項５に記載の折り畳み式携帯型移動無線電話装置。
【請求項９】
さらに、前記リード線を介して接続される部品が縦置き式コイン型２次電池であることを特徴とする、請求項２に記載の折り畳み式携帯型移動無線電話装置。
【請求項１０】
さらに、前記リード線を介して接続される部品がバイブレータであることを特徴とする、請求項３に記載の折り畳み式携帯型移動無線電話装置。
【請求項１１】
前記ヒンジ部の内部空間形状が挿入される部品の形状に合わせて形成されることを特徴とする、請求項１又は請求項５に記載の折り畳み式携帯型移動無線電話装置。
【請求項１２】
挿入される前記部品の形状が前記ヒンジ部の内部空間形状に合わせて形成されることを特徴とする、請求項１又は請求項５に記載の折り畳み式携帯型移動無線電話装置。
【請求項１３】
折り畳み時に対向し、部品を実装するマザーボードを内部に有する折り畳み式携帯型移動無線電話装置の部品実装方法において、
フレキシブル基板を介して対向する前記マザーボードを接続する工程と、
前記フレキシブル基板に部品を実装する工程と、
折り畳みを行うヒンジ部に対して前記フレキシブル基板を通過させる工程と、
前記フレキシブル基板に実装される部品を前記ヒンジ部の内部空間に挿入して固定する工程とを備えることを特徴とする折り畳み式携帯型移動無線電話装置の部品実装方法。
【請求項１４】
折り畳み時に対向し、部品を実装するマザーボードを内部に有する折り畳み式携帯型移動無線電話装置の部品実装方法において、
対向する前記マザーボードの一方にリード線を介して部品を接続する工程と、
折り畳みを行うヒンジ部の内部空間にリード線を介して接続される前記部品を挿入して固定する工程とを備えることを特徴とする折り畳み式携帯型移動無線電話装置の部品実装方法。
【発明の詳細な説明】
【０００１】
【発明が属する技術分野】
本発明は折り畳み式携帯型移動無線電話装置に関する。特に、本発明は、マザーボードの部品実装面積を削減する部品実装方法に関する。
【０００２】
【従来の技術】
従来、入力部と表示部とがヒンジによって連結されて折り畳み可能に構成され、入力部に装着されるプリント基板と、表示部内に配設されている電子部品とが、フレキシブルプリント基板によって接続されている。そして、入力部の、ヒンジの近傍には、フレキシブルプリント基板プリント配線基板が通される挿通部が設けられ、この挿通部に、前記フレキシブルプリント基板プリント配線基板の表裏面に当接させられる一対のパッキンが設けられているものがある（例えば、特許文献１参照。）。
【０００３】
さらに、ヒンジ機構は、本体の上端部と、蓋体の下端部とを、同軸上にて相対回転可能に組み合わせて構成され、ヒンジ機構の左側の端部にはヒンジ部材が嵌入して、本体と蓋体とを互いに相対回転可能に連結している。本体並びに蓋体には、同軸上にて連通する円筒状の空間が開設され、本体にはねじ孔が形成され、蓋体と本体には、丸軸状の芳香部材を装填することが可能な装入室が形成されている。本体のねじ孔には、栓部材がねじ込み固定される。本体及び蓋体の周壁には、装入室に至る複数の小孔が開設されているものがある（例えば、特許文献２参照。）。
【０００４】
【特許文献１】
特開２００２−３１９７７１号公報（段落０００９、段落００１０、図１、２参照）
【特許文献２】
特願平２００２−２９０５２５号公報（段落００１１、段落００１２、図２、図３参照）
【０００５】
本発明は上記従来技術を、以下のように、さらに発展させたものである。
今日では、ＰＤＣ（Ｐｅｒｓｏｎａｌ  Ｄｉｇｉｔａｌ  Ｃｅｌｌｕｌａｒ）に代表されるように、折り畳み式携帯型移動無線電話装置では、小型化、薄型化を進める反面、大画面化、背面液晶化、カメラ機能といった多機能化の必要性もより一層高まってきている。
【０００６】
図１０は本発明の前提となる折り畳み式携帯型移動無線電話装置の部品実装を説明する概略構成を示す図である。なお、全図を通して同一の構成要素には同一の番号、符号を付して説明を行う。
本図に示すように、折り畳み式携帯型移動無線電話装置には、その内部にレシーバ側マザーボード１０１、マイク側マザーボード１０２が設けられ、レシーバ側マザーボード１０１とマイク側マザーボード１０２にはフレキシブル基板１０３が接続される。
【０００７】
フレキシブル基板１０３はレシーバ側マザーボード１０１とマイク側マザーボード１０２の信号接続を行う。
フレキシブル基板１０３は、一例として特許文献１に述べられるように、折り畳み式携帯型移動無線電話装置のヒンジ部の内部空間を通過する。
フレキシブル基板１０３はヒンジ部２０３の内部空間では機構的に固定せず、自由に変形可能な構造であり、折り畳み式携帯型移動無線電話装置を折り畳むことを可能にする。
【０００８】
レシーバ側マザーボード１０１にはレシーバ１０４、液晶表示部１０６を含む部品が部品端子用ランドに半田付けを行うことにより実装され、マイク側マザーボード１０２にはマイクロフォン１０５、種々のＬＳＩ（大規模集積回路）１０７、バイブレータ１０８、縦置き式コイン型２次電池１０９を含む部品が部品端子用ランドに半田付けを行うことにより実装される。
【０００９】
【発明が解決しようとする課題】
しかしながら、上記折り畳み式携帯型移動無線電話装置では、その多機能化により、実装部品が増えるため部品実装面積が多くなり、レシーバ側マザーボード１０１、マイク側マザーボード１０２の拡大による実装面積の確保が要求される。このため、折り畳み式携帯型移動無線電話装置の形状が大型化してしまうという問題がある。
【００１０】
したがって、本発明は上記問題点に鑑みて、マザーボードの部品実装面積を削減しマザーボードの拡大を抑制することが可能である折り畳み式携帯型移動無線電話装置及びその部品実装方法を提供することを目的とする。
【００１１】
【課題を解決するための手段】
本発明は前記問題点を解決するために、折り畳み時に対向し、部品を実装するマザーボードを内部に有する折り畳み式携帯型移動無線電話装置において、対向する前記マザーボードを接続し、部品を実装するフレキシブル基板と、折り畳みを行うと同時に、前記フレキシブル基板を通過させ、前記フレキシブル基板に実装される部品を内部空間に挿入して固定するヒンジ部とを備えることを特徴とする折り畳み式携帯型移動無線電話装置を提供する。
【００１２】
この手段により、フレキシブル基板に部品を実装しフレキシブル基板を介してマザーボードとの接続を行い、ヒンジ部の内部空間に部品を挿入しヒンジ部の内部空間を有効に利用することが可能なるので、マザーボードの部品実装面積を削減し、マザーボードの拡大を抑制することが可能になる。
好ましくは、前記フレキシブル基板に実装される部品がバイブレータである。
この手段により、バイブレータ分のマザーボードの実装面積を削減することが可能になる。
【００１３】
好ましくは、前記フレキシブル基板に実装される部品が縦置き式コイン型２次電池である。
この手段により、縦置き式コイン型２次電池分のマザーボードの実装面積を削減することが可能になる。
好ましくは、前記フレキシブル基板に実装される部品がバイブレータ及び縦置き式コイン型２次電池である。
【００１４】
この手段により、バイブレータ、縦置き式コイン型２次電池分のマザーボードの実装面積を削減することが可能になる。
さらに、本発明は、折り畳み時に対向し、部品を実装するマザーボードを内部に有する折り畳み式携帯型移動無線電話装置において、対向する前記マザーボードの一方にリード線を介して接続される部品と、折り畳みを行うと同時に、リード線を介して接続される前記部品を内部空間に挿入して固定するヒンジ部とを備えることを特徴とする折り畳み式携帯型移動無線電話装置を提供する。
【００１５】
この手段により、リード線を介して部品をマザーボードに接続し、ヒンジ部の内部空間に部品を挿入しヒンジ部の内部空間を有効に利用することが可能なるので、マザーボードの部品実装面積を削減し、マザーボードの拡大を抑制することが可能になる。
好ましくは、前記リード線を介して接続される部品がバイブレータである。
この手段により、バイブレータ分のマザーボードの実装面積を削減することが可能になる。
【００１６】
好ましくは、前記リード線を介して接続される部品が縦置き式コイン型２次電池である。
この手段により、縦置き式コイン型２次電池分のマザーボードの実装面積を削減することが可能になる。
好ましくは、前記リード線を介して接続される部品がバイブレータ及び縦置き式コイン型２次電池である。
【００１７】
この手段により、バイブレータ、縦置き式コイン型２次電池分のマザーボードの実装面積を削減することが可能になる。
好ましくは、前記フレキシブル基板に実装される部品がバイブレータであり、さらに前記リード線を介して接続される部品が縦置き式コイン型２次電池である。
この手段により、バイブレータ、縦置き式コイン型２次電池分のマザーボードの実装面積を削減することが可能になる。
好ましくは、前記フレキシブル基板に実装される部品が縦置き式コイン型２次電池であり、さらに、前記リード線を介して接続される部品がバイブレータである。
この手段により、バイブレータ、縦置き式コイン型２次電池分のマザーボードの実装面積を削減することが可能になる。
さらに、前記ヒンジ部の内部空間形状が挿入される部品の形状に合わせて形成され、さらに、挿入される前記部品の形状が前記ヒンジ部の内部空間形状に合わせて形成される。
【００１８】
この手段により、製造上の柔軟性が向上する。
さらに、本発明は、折り畳み時に対向し、部品を実装するマザーボードを内部に有する折り畳み式携帯型移動無線電話装置の部品実装方法において、フレキシブル基板を介して対向する前記マザーボードを接続する工程と、前記フレキシブル基板に部品を実装する工程と、折り畳みを行うヒンジ部に対して前記フレキシブル基板を通過させる工程と、前記フレキシブル基板に実装される部品を前記ヒンジ部の内部空間に挿入して固定する工程とを備えることを特徴とする折り畳み式携帯型移動無線電話装置の部品実装方法を提供する。
【００１９】
この手段により、上記発明と同様に、フレキシブル基板に部品を実装しフレキシブル基板を介してマザーボードとの接続を行い、ヒンジ部の内部空間に部品を挿入しヒンジ部の内部空間を有効に利用することが可能なるので、マザーボードの部品実装面積を削減し、マザーボードの拡大を抑制することが可能になる。
さらに、本発明は、折り畳み時に対向し、部品を実装するマザーボードを内部に有する折り畳み式携帯型移動無線電話装置の部品実装方法において、対向する前記マザーボードの一方にリード線を介して部品を接続する工程と、折り畳みを行うヒンジ部の内部空間にリード線を介して接続される前記部品を挿入して固定する工程とを備えることを特徴とする折り畳み式携帯型移動無線電話装置の部品実装方法を提供する。
【００２０】
この手段により、上記発明と同様に、リード線を介して部品をマザーボードに接続し、ヒンジ部の内部空間に部品を挿入しヒンジ部の内部空間を有効に利用することが可能なるので、マザーボードの部品実装面積を削減し、マザーボードの拡大を抑制することが可能になる。
【００２１】
【発明の実施の形態】
以下、本発明の実施の形態について図面を参照して説明する。
図１は本発明に係る折り畳み式携帯型移動無線電話装置の部品実装を説明する概略構成を示す図である。
本図に示すように、フレキシブル基板１０３には拡張部１０３Ａが設けられ、拡張部１０３Ａは長方形状に形成され、フレキシブル基板１０３の側部における中央付近の片側から突き出す。
【００２２】
拡張部１０３Ａ上にはバイブレータ１０８がマザーボードと同様の方法で実装され、ハイブレータ１０８としては円柱形状に形成されるものが使用される。
拡張部１０３Ａ上に実装されたバイブレータ１０８は、その信号線がフレキシブル基板１０３を介して、マイク側マザーボード１０２上に実装されるＬＳＩ１０７に接続されるので、接続されたＬＳＩ１０７により着信時に振動する等の制御を受ける。
【００２３】
このように、フレキシブル基板１０３を利用してバイブレータ１０８とマイク側マザーボード１０２との接続が可能になる。
これにより、マイク側マザーボード１０２ではバイブレータ１０８が実装される分の面積が削減可能になる。
図２は図１の変形例であり、折り畳み式携帯型移動無線電話装置の部品実装を説明する概略構成を示す図である。
【００２４】
本図に示すように、フレキシブル基板１０３には拡張部１０３Ｂが設けられ、拡張部１０３Ｂは長方形状に形成され、フレキシブル基板１０３の側部における中央付近の片側から突き出す。
拡張部１０３Ｂ上には縦置き式コイン型２次電池１０９が搭載され、搭載される縦置き式コイン型２次電池１０９としては断面が円形状に形成されるものが使用される。
【００２５】
拡張部１０３Ｂ上に実装された縦置き式コイン型２次電池１０９は、その信号線がフレキシブル基板１０３を介して、マイク側マザーボード１０２上に実装されるＬＳＩ１０７に接続されるので、接続されたＬＳＩ１０７により記憶素子に記憶されたデータの消去防止等の役割を担う。
これにより、マイク側マザーボード１０２では縦置き式コイン型２次電池１０９が実装される分の面積が削減可能になる。
【００２６】
図３は図１の別の変形例であり、折り畳み式携帯型移動無線電話装置の部品実装を説明する概略構成を示す図である。
本図に示すように、フレキシブル基板１０３には拡張部１０３Ａ、拡張部１０３Ｂが設けられ、拡張部１０３Ａ、拡張部１０３Ｂは長方形状に形成され、フレキシブル基板１０３の側部における中央付近の両側からそれぞれ突き出す。
【００２７】
拡張部１０３Ａ上にはバイブレータ１０８が搭載され、搭載されるバイブレータ１０８としては円柱形状に形成されるものが使用され、拡張部１０３Ｂ上には縦置き式コイン型２次電池１０９が搭載され、搭載される縦置き式コイン型２次電池１０９としては断面が円形状に形成されるものが使用される。
拡張部１０３Ａ上に実装されたバイブレータ１０８は、その信号線がフレキシブル基板１０３を介して、マイク側マザーボード１０２上に実装されるＬＳＩ１０７に接続されるので、接続されたＬＳＩ１０７により着信時に振動する等の制御を受ける。
【００２８】
拡張部１０３Ｂ上に実装された縦置き式コイン型２次電池１０９は、その信号線がフレキシブル基板１０３を介して、マイク側マザーボード１０２上に実装されるＬＳＩ１０７に接続されるので、接続されたＬＳＩ１０７により記憶素子に記憶されたデータの消去防止等の役割を担う。
これにより、マイク側マザーボード１０２では、バイブレータ１０８、縦置き式コイン型２次電池１０９が実装される分の面積が削減可能になり、さらに、マイク側マザーボード１０２では縦置き式コイン型２次電池１０９が実装される分の面積が削減可能になる。
【００２９】
図４は図３の部品を搭載する折り畳み式携帯型移動無線電話装置の概略外観例を示す斜視図である。
本図に示すように、折り畳み式携帯型移動無線電話装置はレシーバ側部２０１とマイク側部２０２とがヒンジ部２０３で折り畳まれる時にフロント面が対向する構造を有する。
【００３０】
レシーバ側部２０１にはレシーバ側マザーボード１０１、レシーバ１０４が搭載され、マイク側部２０２にはマイク側マザーボード１０２、マイクロフォン１０５が搭載される。ヒンジ部２０３の内部空間がバイブレータ１０８、縦置き式コイン型２次電池１０９の形状に合わせて、円筒に形成される。
図３の例に示すように、フレキシブル基板１０３の拡張部１０３Ａ、拡張部１０３Ｂ上に実装されたバイブレータ１０８、縦置き式コイン型２次電池１０９のうち、バイブレータ１０８、縦置き式コイン型２次電池１０９はヒンジ部２０３の内部空間に挿入され、フレキシブル基板１０３はヒンジ部２０３を通過する。
【００３１】
このようにして挿入されたバイブレータ１０８、縦置き式コイン型２次電池１０９はヒンジ部２０３内に機構的に固定される。
この場合、バイブレータ１０８、縦置き式コイン型２次電池１０９の外形形状を一定にして、ヒンジ部２０３は、実装の容易化のためにその内部空間の形状をバイブレータ１０８、縦置き式コイン型２次電池１０９の外形形状に合わせて形成される。
【００３２】
または、ヒンジ部２０３の内部空間形状を一定にして、バイブレータ１０８、縦置き式コイン型２次電池１０９は、実装の容易化のためにその形状をヒンジ部２０３の内部空間形状に合わせて形成されるようにしてもよい。
これらは、製造上の柔軟性を向上するためである。
以上のようにして、ヒンジ部２０３の内部空間を有効に利用することが可能になる。
【００３３】
次に、フレキシブル基板１０３に拡張部１０３Ａ、拡張部１０３Ｂを設けて、バイブレータ１０８、縦置き式コイン型２次電池１０９を実装することが困難な場合がある。この場合について以下に説明を行う。
図５は本発明に係る折り畳み式携帯型移動無線電話装置の別の部品実装例を説明する概略構成を示す図である。
【００３４】
本図に示すように、縦置き式コイン型２次電池１０９はリード線１１０でマイク側マザーボード１０２に接続してヒンジ部２０３の内部空間に実装される。
これにより、マイク側マザーボード１０２では縦置き式コイン型２次電池１０９が実装される分の面積が削減可能になる。
この場合、フレキシブル基板１０３はケーブルで構成されるようにしてもよい。以下同様である。
【００３５】
図６は図５の変形例であり、折り畳み式携帯型移動無線電話装置の部品実装を説明する概略構成を示す図である。
本図に示すように、バイブレータ１０８はリード線１１１でマイク側マザーボード１０２に接続してヒンジ部２０３の内部空間に実装される。
これにより、マイク側マザーボード１０２ではバイブレータ１０８が実装される分の面積が削減可能になる。
【００３６】
図７は図５の別の変形例であり、折り畳み式携帯型移動無線電話装置の部品実装を説明する概略構成を示す図である。
本図に示すように、縦置き式コイン型２次電池１０９、バイブレータ１０８はリード線１１０、リード線１１１でそれぞれマイク側マザーボード１０２に接続してヒンジ部２０３の内部空間に実装される。
これにより、マイク側マザーボード１０２では縦置き式コイン型２次電池１０９、バイブレータ１０８が実装される分の面積が削減可能になる。
図８は図２と図６の組み合わせの変形例であり、折り畳み式携帯型移動無線電話装置の部品実装を説明する概略構成を示す図である。
本図に示すように、フレキシブル基板１０３に縦置き式コイン型２次電池１０９を実装し、リード線１１０を介してバイブレータ１０８をマザーボード１０２に接続してヒンジ部２０３の内部空間に実装される。
【００３７】
これにより、マイク側マザーボード１０２では縦置き式コイン型２次電池１０９、バイブレータ１０８が実装される分の面積が削減可能になる。
図９は図１と図５の組み合わせの変形例であり、折り畳み式携帯型移動無線電話装置の部品実装を説明する概略構成を示す図である。
本図に示すように、フレキシブル基板１０３にバイブレータ１０８を実装し、リード線１１０を介して縦置き式コイン型２次電池１０９をマザーボード１０２に接続してヒンジ部２０３の内部空間に実装される。
これにより、マイク側マザーボード１０２では縦置き式コイン型２次電池１０９、バイブレータ１０８が実装される分の面積が削減可能になる。
【００３８】
以上の説明では、バイブレータ１０８、縦置き式コイン型２次電池１０９をマイク側マザーボード１０２側のＬＳＩ１０７に接続したが、これに限らず、レシーバ側マザーボード１０１のＬＳＩ（図示しない）に接続して制御が行われるようにしてもよい。
【００３９】
【発明の効果】
以上説明したように、本発明によれば、フレキシブル基板を介して対向するマザーボードを接続し、フレキシブル基板に部品を実装し、折り畳みを行うヒンジ部に対してフレキシブル基板を通過させ、フレキシブル基板に実装される部品をヒンジ部の内部空間に挿入して固定すようにしたので、ヒンジ部の内部空間を有効に利用することが可能なり、マザーボードの部品実装面積を削減することが可能になる。
【００４０】
さらに、対向するマザーボードの一方にリード線を介して部品を接続し、折り畳みを行うヒンジ部の内部空間にリード線を介して接続される部品を挿入して固定するようにしたので、ヒンジ部の内部空間に部品を挿入しヒンジ部の内部空間を有効に利用することが可能なり、マザーボードの部品実装面積を削減することが可能になる。
【図面の簡単な説明】
【図１】図１は本発明に係る折り畳み式携帯型移動無線電話装置の部品実装を説明する概略構成を示す図である。
【図２】図２は図１の変形例であり、折り畳み式携帯型移動無線電話装置の部品実装を説明する概略構成を示す図である。
【図３】図３は図１の別の変形例であり、折り畳み式携帯型移動無線電話装置の部品実装を説明する概略構成を示す図である。
【図４】図４は図３の部品を搭載する折り畳み式携帯型移動無線電話装置の概略外観例を示す斜視図である。
【図５】図５は本発明に係る折り畳み式携帯型移動無線電話装置の別の部品実装例を説明する概略構成を示す図である。
【図６】図６は図５の変形例であり、折り畳み式携帯型移動無線電話装置の部品実装を説明する概略構成を示す図である。
【図７】図７は図５の別の変形例であり、折り畳み式携帯型移動無線電話装置の部品実装を説明する概略構成を示す図である。
【図８】図８は図２と図６の組み合わせの変形例であり、折り畳み式携帯型移動無線電話装置の部品実装を説明する概略構成を示す図である。
【図９】図９は図１と図５の組み合わせの変形例であり、折り畳み式携帯型移動無線電話装置の部品実装を説明する概略構成を示す図である。
【図１０】図１０は本発明の前提となる折り畳み式携帯型移動無線電話装置の部品実装を説明する概略構成を示す図である。
【符号の説明】
１０１…レシーバ側マザーボード
１０２…マイク側マザーボード
１０３…フレキシブル基板
１０３Ａ、１０３Ｂ…拡張部
１０４…レシーバ
１０５…マイクロフォン
１０６…液晶表示部
１０７…ＬＳＩ
１０８…バイブレータ
１０９…縦置き式コイン型２次電池
１１０、１１１…リード線
２０１…レシーバ側部
２０２…マイク側部
２０３…ヒンジ部
【図１】
2004208164.tif 000003
【図２】
2004208164.tif 000004
【図３】
2004208164.tif 000005
【図４】
2004208164.tif 000006
【図５】
2004208164.tif 000007
【図６】
2004208164.tif 000008
【図７】
2004208164.tif 000009
【図８】
2004208164.tif 000010
【図９】
2004208164.tif 000011
【図１０】
2004208164.tif 000012